(57)【要約】【課題】使用者の出入りに関する点や用便に関する点等の使用性の向上。【解決手段】仮設トイレ１の出入り用のステップ３を、仮設トイレ１内に出入り口１４側から出し入れ可能に内蔵し、仮設トイレ１に設置面Ｇに対する固定用の支持板６を収納可能に備える。【選択図】図１
2004019119.tif 000002
【特許請求の範囲】
【請求項１】
仮設トイレの出入り用のステップが、仮設トイレ内に出入り口側から出し入れ可能に内蔵されている仮設トイレ。
【請求項２】
ステップは、室外へ出された状態において、ステップ面が仮設トイレの設置面と室内床面との間に位置し、
内蔵された状態において、ステップが仮設トイレの壁面から少なくとも突出しないように収納されるようにしている請求項１に記載の仮設トイレ。
【請求項３】
仮設トイレに設置面に対する固定用の支持板を収納可能に備えている仮設トイレ。
【請求項４】
仮設トイレにおけるトイレ設備が、糞尿をおが屑ともども攪拌して分解するものである請求項１ないし請求項３いずれか１項に記載の仮設トイレ。
【発明の詳細な説明】
【０００１】
【発明の属する技術分野】
本発明は、設置および移動さらに撤去が行える工事現場用の仮設トイレに関する。
【０００２】
【従来技術】
各種工事現場において作業員が使用するトイレは、設置および移動さらに撤去が容易、かつ迅速に行える仮設トイレである。
そして、この工事現場で使用される仮設トイレは、工事現場内の限られた設置スペースに設置する関係上、可能な限り小型なものが使用される。
【０００３】
このような仮設トイレは、糞尿を溜める方式の糞尿タンク内蔵型のトイレ設備や糞尿をおが屑ともども攪拌して分解する糞尿分解型のトイレ設備を備えたものが一般的に知られている。
特に、糞尿分解型のトイレ設備は水が要らず、しかも糞尿が微生物によって分解されて悪臭の発生も無く、その上その分解物が有機肥料として再利用できる等々の優れた効果を有しているため、仮設トイレに用いられるトイレ設備として極めて好適なものであり、最近では、工事現場に限らず、山や海あるいはイベント会場等に多く採用されている。
【０００４】
ところで、工事現場用の仮設トイレは、前記したように小型であって室内空間が極めて狭いため、前記各トイレ設備の配設空間の確保が難しいものである。
そこで、前記したような狭い室内空間に前記各トイレ設備を配設する手段として、現在では、室内の床上面を上げることによって床下に空間を確保し、その空間をトイレ設備の配設空間として利用する手段が用いられている。
このような手段を用いてトイレ設備を配設することによって、狭い室内空間を効率的に使用することができるので、工事現場での使用に好適な小型の仮設トイレが構成される。
【０００５】
しかしながら、前記した仮設トイレにおいては、各トイレ設備を配設する手段によって、室内の床上面と仮設トイレの設置面との高さの差が大きくなるため、使用時の出入りが行い難いということが言われている。
特に、糞尿分解型のトイレ設備を配設した仮設トイレでは、トイレ設備における攪拌用のブレードやブレード作動用モーターを要するために、仮設トイレの室内に対するトイレ設備の配設空間が占める割合が大きくなるので、室内の床上面と仮設トイレの設置面との高さの差が、糞尿タンク内蔵型のトイレ設備を配設した仮設トイレよりも大きくなっている。
【０００６】
また、各トイレ設備のために床上面の位置が高くなることから、その高さ分天井高さも高くしているが、仮設トイレは天井高さに比例してその全高が高くなる。
しかしながら、仮設トイレの全高が高いということは、全体的に小型である工事現場用の仮設トイレでは、背が高くなって安定性に欠ける。
特に、設置面に凹凸が多い工事現場に設置するには設置状態が不安定であり、例えば、用便中にがたつきが生じて使用者の用便に支障が生じる可能性が有る。
しかも、糞尿分解型のトイレ設備を配設した仮設トイレでは、前記したようにその構造上、さらに仮設トイレの全高が糞尿タンク内蔵型のトイレ設備を配設した仮設トイレよりも高くなるので、設置状態がさらに不安定になる。
【０００７】
以上のように、現状の工事用の仮設トイレは、使用者の出入りに関する点や用便に関する点等の使用性について改良点が有る。
【０００８】
【発明が解決しようとする課題】
そこで本発明は、使用者の出入りに関する点や用便に関する点等の使用性の向上を課題とし、その課題を解決できる仮設トイレの提供を目的とする。
【０００９】
【課題を解決するための手段】
上記した目的を達成するために本発明は下記の技術的手段を採用した。
先ず、使用者の出入りに関する使用性の向上という課題を解決するための技術的手段は、仮設トイレの出入り用のステップが、仮設トイレ内に出入り口側から出し入れ可能に内蔵されている仮設トイレにしたことである。（請求項１）
また、ステップは、室外へ出された状態において、ステップ面が仮設トイレの設置面と室内床面との間に位置し、内蔵された状態において、ステップが仮設トイレの壁面から少なくとも突出しないように収納されるようにすることが好適である。（請求項２）
【００１０】
次に、使用者の用便に関する使用性の向上という課題を解決するための技術的手段は、仮設トイレに設置面に対する固定用の支持板を収納可能に備えている仮設トイレにしたことである。（請求項３）
【００１１】
【発明の実施の形態】
本発明は、仮設トイレに配設されるトイレ設備について限定するものではないが、そのトイレ設備を、糞尿をおが屑ともども攪拌して分解するものとすることが好適である。（請求項４）
つまり、本発明によれば、前記請求項１ないし請求項３の発明により、出入り時や用便時における使用性が向上した上に、糞尿分解型のトイレ設備における糞尿処理等の効果を有する極めて優れた仮設トイレにすることができる。
【００１２】
【実施例】
以下、本発明の仮設トイレの実施例を図面に基づいて説明する。
なお、本実施例では糞尿分解型のトイレ設備を配設した仮設トイレとして例示するが、トイレ設備の具体的構造については今日一般的なものであるので詳述は省略する。
ちなみに、糞尿分解型のトイレ設備の基本的構造を説明すると、図１に示すように、このトイレ設備Ａの構造は、分解処理漕Ａ１内に内蔵されたブレードＡ２がモーターＡ３によって回転することにより、分解処理漕Ａ１内のおが屑と糞尿を攪拌するものである。
図中符号Ａ４は便座である。
【００１３】
本実施例の仮設トイレ１は、図１ないし図４に示すように、側壁１１と、天井１２とで略箱型形状に形成され、側壁の一方にはドア１４Ａで開閉される出入り口１４を備えている。
室内は、前記トイレ設備ＡにおけるモータＡ３の直上、かつ出入り口１４の下端と同高とする床面２が形成され、その床下の空間Ｓにステップ３を内蔵してある。
ステップ３は、出入り口１４直下の壁面に開孔した孔部１４Ｂから出し入れするようにしている。
また、孔部１４Ｂは蓋４によって開閉可能であり、ステップ３の収納時には蓋４を閉めておくようにしてある。
【００１４】
詳述すると、略Ｌ型に形成されたステップ３の短手側端部を空間Ｓ内で、孔部１４Ｂ方向へ回動可能に軸支して、この軸支部を支点としてステップ３が回動することで、孔部１４Ｂから出し入れされる。
ステップ３は、収納状態状態においてＬ型を呈して孔部１４Ｂから突出しない位置にあり、使用状態においてステップ３の長手側が真上向きで室外に突出し、この真上向きとなる長手側の面がステップ面３１となる。
また、ステップ３は、使用状態におけるステップ面３１の高さ位置が、出入り口１４の下端から設置面Ｇの略中央に位置するように軸支することによって、使用者が出入り口１４から出入りする際における昇降が行いやすいようにしている。
【００１５】
ちなみに、糞尿分解型のトイレ設備を配設した工事現場用仮設トイレにおける床面の設置面からの高さは、一般的に約５０ｃｍ〜６０ｃｍ程度であることから、例示した高さ位置とするステップ面３１によれば、約２５ｃｍ〜３０ｃｍに位置して、昇降が難なく行える高さとなる。
また、ステップ面の室外への突出長さは、使用者の昇降が難なく行える程度であればよいが、仮に、床面の高さが前記した設置面から約５０ｃｍ〜６０ｃｍ程度の場合では、約２７ｃｍ〜３０ｃｍ程度の突出長さが確保できる。
【００１６】
さらに、本実施例の仮設トイレ１は、図２、図４および図５に示すように、側壁１１を支持する鋼材５の外側に、仮設トイレ１を設置面に固定するための支持板６を収納可能に備えている。
支持板６は、平面長方形の平板状のものであり、仮設トイレ１の長手方向に沿う鋼材の下端部分に、図５において上下方向に回動可能に軸支してある。
符号６１は長孔であり、図５に示すように、仮設トイレ１の設置状態において、長孔６１に杭６２を貫通させて設置面Ｇに挿し込むことによって、仮設トイレ１が設置面Ｇに固定される。
支持板６の収納状態は、支持板６を上方に回動させるとともに、側壁１１に配設された挟持片６３が支持板６を挟持することによって、側壁１１と平行状態で収納される。
挟持片６３は、支持板６を挟持したときに、支持板６を側壁１１に押し付ける反発力が作用する板ばね状のものであり、支持板６の挟持および挟持解除するときには、挟持片６３を上方にめくり上げるように変形させて行う。
【００１７】
図６に示す仮設トイレ１は、本発明の他の実施例のものである。
本実施例の仮設トイレ１は、運搬車Ｃの荷台Ｃ１に載せた状態で使用可能にしたものである。
詳述すると、多段上のステップ面３１を有した階段型のステップ３が、出入り口１４から出入れするように、図において、上下方向に回動可能に軸支してある。
本実施例のステップ３は、仮設トイレ１を荷台Ｃ１に載せた状態で出入り口１４から出したときに、ステップ３の下端が設置面Ｇ（地面）に接触する程度の大きさにしてある。
また、ステップ３は出した状態において、上端のステップ面３１が出入り口１４におけるドア１４Ａ開閉に支障が無い位置、かつ床面２と同面になる位置において軸支してある。
さらに、ステップ３は収納状態において、出入り口１４から突出しない位置で軸支して、ドア１４Ａを確実に閉めることができるようにしてある。
【００１８】
本実施例の仮設トイレの固定方法については、例えば、ロープを掛けて荷台に固定する方法（図示せず）や、荷台に、仮設トイレの平面よりも大きく、表面にボルトを立設した鉄板を載せ、この鉄板上に前記仮設トイレ１を載せるとともに、前記支持板６を倒してボルトを前記長孔６１に貫通させ、当該長孔から突出したボルトにナットをねじ込むことによって固定する方法（図示せず）等が挙げられる。
本実施例における仮設トイレ１は、前記したように運搬車Ｃに載せた状態で使用できるものである。
特に、道路工事のように移動しながら工事を行う現場において、仮設トイレ１を一々積み下ろしをすることなく使用できるので、道路工事の効率性の向上に極めて大きく貢献する。
【００１９】
なお、本実施例で例示した支持板は、短尺形態としたものを仮設トイレの左右の長手側に夫々２枚ずつ計４枚配設したものであるが、枚数に関してはこれ以上でもよい。
また、支持板を仮設トイレの左右の長手側の長さと同等の長さとし、この支持板を左右１枚ずつ計２枚配設したものであってもよい。
つまり、支持板の枚数は支持板の長さに応じて任意に設定すればよいものである。
【００２０】
【発明の効果】
本発明は以上説明したとおり、下記の優れた効果を有する。
請求項１および請求項２の発明によれば、出し入れ可能に内蔵されたステップを室外に出すことによって仮設トイレの出入りが容易となるので、使用者の出入りに関する使用性の向上が実現する。
その上に、ステップを収納しておくことによって、仮設トイレの運搬作業や設置作業に対する障害になることも無く、収容においても特に場所を広く占有することも無いので、通常の仮設トイレと何ら変わり無いない各種作業や収容を行うことができる。
請求項３の発明によれば、支持板によって仮設トイレを安定よく固定設置させることによって、用便中のがたつきを防止することができるので、が使用者の用便に関する使用性の向上が実現する。
しかも、設置面にしっかりと固定されるので、例えば、強風や工事機械の振動による転倒の心配は全く無い。
その上に、支持板を収納しておくことによって、前記と同様に通常の仮設トイレと何ら変わり無いない各種作業や収容を行うことができる。
請求項４の発明によれば、前記請求項１ないし請求項３の発明により、出入り時や用便時における使用性が向上した上に、糞尿分解型のトイレ設備における糞尿処理等の効果を有する極めて優れた仮設トイレにすることができる。
【図面の簡単な説明】
【図１】本発明にかかる仮設トイレの縦断面図。
【図２】同、横断面図。
【図３】ステップ部位の拡大図。
【図４】ステップ収納状態の拡大図。
【図５】支持板部位の拡大斜視図。
【図６】他の例を示す正面図。
【符号の説明】
１：仮設トイレ
１４：出入り口
２：床面
３：ステップ
３１：ステップ面
６：支持板
Ａ：トイレ設備
Ｇ：設置面
【図１】
2004019119.tif 000003
【図２】
2004019119.tif 000004
【図３】
2004019119.tif 000005
【図４】
2004019119.tif 000006
【図５】
2004019119.tif 000007
【図６】
2004019119.tif 000008